(57)【特許請求の範囲】
【請求項１】
建屋上端部の大梁の上側に固定してある既設母屋と該既設母屋に取り付けてなる既設屋根とを備える立体駐車装置における上記既設屋根の上側に、上下のフランジを備えてなる複数の新規母屋を所要間隔で平行に載置する際に、上記既設屋根を貫通させて上記建屋上端部の大梁にボルトを立設させ、上記既設屋根における該ボルトの貫通部分に上記既設屋根の上方よりコーキング材を施工し、該コーキング材を、プレートによって上方から上記既設屋根方向に抑えるように上記コーキング材と上記プレートとを順に重ね合わせ、次に、上記既設屋根を貫通して該既設屋根より上方へ突出してなるボルトの突出部に、上記新規母屋の下部フランジに穿設してあるボルト孔を嵌合させて、上記下部フランジより突出してなるボルトの突出部にナットを螺着して締め付けることで上記新規母屋を、上記既設屋根の上側に上記コーキング材と上記プレートとを介して載置して固定し、次いで、上記新規母屋の上部フランジの上側に、新規屋根を載置して取り付けることを特徴とする立体駐車装置の屋根補修工法。
【請求項２】
新規母屋の上部フランジの上側に取り付ける新規屋根を、ルーフデッキ、あるいは、瓦棒又はキーストンプレートからなるものとする請求項１記載の立体駐車装置の屋根補修工法。
【発明の詳細な説明】
【技術分野】
【０００１】
本発明は、垂直循環式やエレベータ式の立体駐車装置の建屋の屋根が経年変化等で劣化した場合に、該屋根を補修するために用いる立体駐車装置の屋根補修工法に関するものである。
【背景技術】
【０００２】
限られた敷地に効率よく車両を駐車するための設備として、いわゆるタワーパーキングと云われる垂直循環式の立体駐車装置（たとえば、特許文献１参照）や、エレベータ式の立体駐車装置（たとえば、特許文献２参照）がある。
【０００３】
これらの立体駐車装置は、いずれも上下方向に延びる車両格納スペースを形成するために塔状の建屋を有しており、該建屋の屋根は、軽量化を図るために、ルーフデッキ（折板）、瓦棒、キーストンプレートによって構築されていることが多い。
【０００４】
図２はルーフデッキ式の屋根の一例の概略を示すもので、建屋１の上端部に水平方向に配設されている大梁２の上側に、複数の母屋３を所要間隔で平行に配置して、該各母屋３が上記大梁２に固定してある。上記各母屋３の上側には、長手方向に沿って折板形状の図示しないタイトフレームを取り付け、該タイトフレームの折板形状に合わせて、ルーフデッキ（折板）４の単板を並べて配置すると共に、該各ルーフデッキ４を上記図示しないタイトフレームに固定することで屋根を構築してある。５は建屋１の支柱、６は建屋１の外壁、７は建屋１の屋根の外周に設けたパラペット８の上端の笠木９と、ルーフデッキ４との間に設けた水切りである。
【０００５】
又、図示してないが、瓦棒やキーストンプレートによる屋根の場合は、上記図２に示したと同様に、建屋１の上端部の大梁２の上側に母屋３を取り付け、該母屋３上に、瓦棒や、キーストンプレートを並べて載置して固定するようにしてある。
【０００６】
ところで、上記ルーフデッキ４、瓦棒、キーストンプレートは、通常、金属製であるため、経年変化により錆びることがある。このような建屋１の屋根に錆が生じた場合は、放っておくと屋根からの雨漏りにつながる虞があるため、錆の生じた部分をけれんした後、塗装することで補修を行うことが一般的に行われている。
【０００７】
【特許文献１】特開２００４−３４６５１５号公報
【特許文献２】特開２００４−２７８１９９号公報
【発明の開示】
【発明が解決しようとする課題】
【０００８】
ところが、上記立体駐車装置の建屋１の屋根に生じた錆がひどい場合は、けれんと塗装による補修のみでは雨漏りを防ぐことが困難になることがある。
【０００９】
そのために、上記建屋１の屋根の補修を行うための１つの手法としては、上記錆が発生した建屋１の屋根を交換すること、すなわち、上記錆が生じて劣化した既設の屋根を一旦撤去した後、屋根を新たに構築することが考えられる。
【００１０】
しかし、建屋１の屋根の交換を実施する場合は、上記既設の屋根を撤去してから、新規の屋根を構築するまでの間、建屋に屋根のない期間が生じるため、この期間中は建屋内部へ雨水が侵入しないようにするための対策を講じる必要がある。
【００１１】
又、新規屋根の構築に先立って既設屋根の撤去を行う必要があり、しかも、上記のような立体駐車装置では、通常、屋根の下面に耐火被覆を設けることが必要とされていることから、既設の屋根の撤去時には、該既設の屋根の下面の耐火被覆を剥がす作業が必要になり、又、新規の屋根の構築後には、新たに構築した屋根の下面に耐火被覆を施工する作業が必要になることから、建屋１の屋根の補修に要する作業工数が嵩むと共に、上記剥離した耐火被覆を含む多くの廃棄物が排出されるというのが実状である。
【００１２】
そこで、本発明は、立体駐車装置の既設の屋根が劣化した場合に、既設の屋根の撤去作業や、上記耐火被覆の剥離作業や、新たな耐火被覆の施工作業を要することなく新たな屋根を構築できて、立体駐車装置の屋根の補修作業に要する作業工数を削減して、労力を軽減できる立体駐車装置の屋根補修工法を提供しようとするものである。
【課題を解決するための手段】
【００１３】
本発明は、上記課題を解決するために、請求項１に対応して建屋上端部の大梁の上側に固定してある既設母屋と該既設母屋に取り付けてなる既設屋根とを備える立体駐車装置における上記既設屋根の上側に、上下のフランジを備えてなる複数の新規母屋を所要間隔で平行に載置する際に、上記既設屋根を貫通させて上記建屋上端部の大梁にボルトを立設させ、上記既設屋根における該ボルトの貫通部分に上記既設屋根の上方よりコーキング材を施工し、該コーキング材を、プレートによって上方から上記既設屋根方向に抑えるように上記コーキング材と上記プレートとを順に重ね合わせ、次に、上記既設屋根を貫通して該既設屋根より上方へ突出してなるボルトの突出部に、上記新規母屋の下部フランジに穿設してあるボルト孔を嵌合させて、上記下部フランジより突出してなるボルトの突出部にナットを螺着して締め付けることで上記新規母屋を、上記既設屋根の上側に上記コーキング材と上記プレートとを介して載置して固定し、次いで、上記新規母屋の上部フランジの上側に、新規屋根を載置して取り付ける工法とする。
【００１４】
又、上記構成において、新規母屋の上部フランジの上側に取り付ける新規屋根を、ルーフデッキ、あるいは、瓦棒又はキーストンプレートからなるものとするようにする。
【発明の効果】
【００１５】
本発明の立体駐車装置の屋根補修工法によれば、以下の如き優れた効果を発揮する。
（１）建屋上端部の大梁の上側に固定してある既設母屋と該既設母屋に取り付けてなる既設屋根とを備える立体駐車装置における上記既設屋根の上側に、上下のフランジを備えてなる複数の新規母屋を所要間隔で平行に載置する際に、上記既設屋根を貫通させて上記建屋上端部の大梁にボルトを立設させ、上記既設屋根における該ボルトの貫通部分に上記既設屋根の上方よりコーキング材を施工し、該コーキング材を、プレートによって上方から上記既設屋根方向に抑えるように上記コーキング材と上記プレートとを順に重ね合わせ、次に、上記既設屋根を貫通して該既設屋根より上方へ突出してなるボルトの突出部に、上記新規母屋の下部フランジに穿設してあるボルト孔を嵌合させて、上記下部フランジより突出してなるボルトの突出にナットを螺着して締め付けることで上記新規母屋を、上記既設屋根の上側に上記コーキング材と上記プレートとを介して載置して固定し、次いで、上記新規母屋の上部フランジの上側に、新規屋根を載置して取り付けるようにしてあるので、既設の屋根の上側に、新規屋根を容易に構築することができる。したがって、上記新規屋根を構築する際に、上記既設の屋根の撤去する必要がないため、工事期間中に立体駐車装置の建屋内に雨水が浸入する虞を解消できる。又、既設の屋根の撤去や、既設の屋根の下面側に設けてある耐火被覆の剥離のための作業を不要にでき、更には、上記新たに構築した新規屋根の下面側に耐火被覆を施工するための作業を不要にできることから、立体駐車装置の屋根の補修作業に要する作業工数を削減できて、省力化を図ることができると共に、コストの低減化を図ることが可能になる。又、上記したように耐火被覆の剥離作業が不要なため、排出される廃棄物の量を削減することも可能になる。
（２）新規母屋の上部フランジの上側に取り付ける新規屋根を、ルーフデッキ、あるいは、瓦棒又はキーストンプレートからなる新規屋根とすることにより、新たに建屋の頂部に設ける新規屋根の軽量化を図ることができる。これにより、建屋の構造材に作用する荷重の負担の増加を抑えることができる。
【発明を実施するための最良の形態】
【００１６】
以下、本発明を実施するための最良の形態を図面を参照して説明する。
【００１７】
図１（イ）（ロ）は本発明の立体駐車装置の屋根補修工法の実施の一形態を示すもので、図２に示したと同様の構成としてある立体駐車装置の建屋１の複数のルーフデッキ４からなる既設屋根の上側に、複数の新規母屋１０を所要間隔で平行に載置して、該各新規母屋１０を、上記建屋１の大梁２より既設のルーフデッキ４の所要個所を貫通させるようにして立設したボルト１１に固定する。
【００１８】
更に、上記各新規母屋１０の上側に、長手方向に沿って折板形状のタイトフレーム１２を取り付けると共に、該タイトフレーム１２上に、新たなルーフデッキ１３の単板を幅方向に並べて配置し、しかる後、上記各ルーフデッキ１３の単板を、上記タイトフレーム１２に固定して、該各ルーフデッキ１３からなる新規屋根を構築するようにする。
【００１９】
詳述すると、上記建屋１の大梁２には、各新規母屋１０を配列すべき位置と対応する所要個所に、その上方の既設のルーフデッキ４を貫通して上下方向に延びるボルト１１を立設して、該各ボルト１１の上端部が、上記既設のルーフデッキ４の上方へ所要寸法突出するようにしておく。
【００２０】
なお、上記既設のルーフデッキ４における上記各ボルト１１の貫通部分には、ルーフデッキ４の上側よりコーキング材１４を施工すると共に、ボルト１１の上端部より該ボルト１１の外周に嵌めたリング状のプレート１５によって、上記コーキング材１４を上側から抑えることで、上記既設のルーフデッキ４における上記各ボルト１１の貫通部分の防水を図るようにしてもよい。
【００２１】
上記各新規母屋１０は、たとえば、Ｉ型鋼製として、下部フランジ１０ａにおける上記大梁２より立設した各ボルト１１と対応する長手方向所要間隔位置に、ボルト孔１６を予め穿設しておく。これにより、上記各新規母屋１０を、上記既設のルーフデッキ４の上側に所定の配列で載置するときに、該各新規母屋１０に設けてあるボルト孔１６を、上記大梁２より立設して上端部が既設のルーフデッキ４より上方へ突出するようにしてある上記各ボルト１１の突出部に嵌合させ、その後、上記各新規母屋１０の下部フランジ１０ａの上方から上記各ボルト１１にナット１７を螺着させて締めこむことで、上記各新規母屋１０を、上記既設の各ルーフデッキ４からなる屋根の上側に固定する。
【００２２】
次いで、上記各新規母屋１０の上部フランジ１０ｂの上面に、それぞれタイトフレーム１２を長手方向に沿って配置して溶接等により固定する。しかる後、上記各タイトフレーム１２上に、新規のルーフデッキ１３の単板を幅方向に並べるよう載置して、該各ルーフデッキ１３の単板をタイトフレーム１２の対応する個所に固定することで該各ルーフデッキ１３からなる新規屋根を構築する。
【００２３】
なお、上記各ルーフデッキ１３の単板のタイトフレーム１２への固定は、従来各ルーフデッキからなる屋根を構築する際に用いられている一般的な手法で固定するようにすればよい。
【００２４】
上記のようにして既設の各ルーフデッキ４からなる屋根の上に各ルーフデッキ１３からなる新規屋根を構築した後は、屋根の位置が上がることになるため、該各ルーフデッキ１３からなる新規屋根の高さに合わせて、屋根外周のパラペット８に設けてある笠木９と、該各ルーフデッキ１３からなる新規屋根との間に、水切り１８を新設するようにすればよい。
【００２５】
このように、本発明の立体駐車装置の屋根補修工法によれば、既設の屋根の上側に、新規母屋１０を設けて、該新規母屋１０の上側に各ルーフデッキ１３からなる新規屋根を構築することができ、これにより、既設屋根が劣化していても、上記各ルーフデッキ１３からなる新規屋根によって雨漏りの進行を阻止することができる。
【００２６】
したがって、上記各ルーフデッキ１３からなる新規屋根を構築する際に、上記既設の屋根の撤去する必要がないため、工事期間中に立体駐車装置の建屋１内に雨水が浸入する虞を解消できる。又、既設の屋根の撤去や、既設の屋根の下面側に設けてある耐火被覆の剥離のための作業を不要にでき、更には、上記新たに構築した各ルーフデッキ１３からなる新規屋根の下面側に耐火被覆を施工するための作業を不要にできることから、立体駐車装置の屋根の補修作業に要する作業工数を削減できて、省力化を図ることができると共に、コストの低減化を図ることが可能になる。又、上記したように耐火被覆の剥離作業が不要なため、排出される廃棄物の量を削減することも可能になる。
【００２７】
なお、本発明は上記実施の形態のみに限定されるものではなく、新規母屋１０の上側に、各ルーフデッキ１３からなる新規屋根に代えて、瓦棒やキーストンプレートを並べて取り付けることで、瓦棒製やキーストンプレートからなる新規屋根を構築するようにしてもよい。
【００２８】
既設の屋根上に設ける新規母屋１０の数や配置は、建屋１の屋根形状やサイズ、使用するルーフデッキ１３、瓦棒、キーストンプレートのサイズや、建屋１の大梁２の配置等に応じて自在に設定してよい。
【００２９】
その他本発明の要旨を逸脱しない範囲内において種々変更を加え得ることは勿論である。
【図面の簡単な説明】
【００３０】
【図１】本発明の立体駐車装置の屋根補修工法の実施の一形態を示すもので、（イ）建屋頂部の概略切断側面図、（ロ）は（イ）のＡ部を拡大して示す図である。
【図２】立体駐車装置の建屋のルーフデッキ式屋根の一例の概略を示す切断側面図である。
【符号の説明】
【００３１】
１  建屋
２  大梁
４  ルーフデッキ（既設屋根）
１０  新規母屋
１１  ボルト
１３  ルーフデッキ（新規屋根）
【図１】
0004879133.tif 000002
【図２】
0004879133.tif 000003